(57)【要約】【課題】  消費者の訴求力を向上させる表示板を有し、見栄えが良く、表示板の商品広告をデザインし易い包装箱を提供すること。【解決手段】  少なくとも前板、両側板、後板、蓋板、底板とにより包装箱本体が構成され、前記両側板及び後板の幅方向に連続して形成された切取り部を切取ることにより前記包装箱本体を上半部と下半部とに分離可能とされた包装箱において、包装箱本体３の上半部２０を両側板６Ａ，６Ｂ及び後板８の上半部と、該両側板６Ａ，６Ｂの上縁に折曲げ可能に連設した蓋受片１８Ａ，１８Ｂとで形成する一方、前記包装箱本体３の下半部２１を前板４と、該前板４の上縁に折曲げ可能に連設した蓋板１４と、該蓋板１４の先端部に折曲げ可能に連設した差込片１６と、前記両側板６Ａ，６Ｂ及び前記後板８の下半部とで形成するようにする。【選択図】図８
2005053560.tif 000002
【特許請求の範囲】
【請求項１】
少なくとも前板、両側板、後板、蓋板、底板とにより包装箱本体が構成され、前記両側板及び後板の幅方向に連続して形成された切取り部を切取ることにより前記包装箱本体を上半部と下半部とに分離可能とされた包装箱において、包装箱本体３の上半部２０を両側板６Ａ，６Ｂ及び後板８の上半部と、前記両側板６Ａ，６Ｂの上縁に折曲げ可能に連設した蓋受片１８Ａ，１８Ｂとで形成する一方、前記包装箱本体３の下半部２１を前板４と、該前板４の上縁に折曲げ可能に連設した蓋板１４と、該蓋板１４の先端部に折曲げ可能に連設した差込片１６と、前記両側板６Ａ，６Ｂ及び前記後板８の下半部とで形成して成ることを特徴とする包装箱。
【請求項２】
前記前板４の幅方向の長さよりも短い長さの折曲げ線２２が前記前板４の略中央部幅方向に形成され、前記折曲げ線２２の各端部から前記前板４の両側縁下方に形成された折曲げ線５ａ，５ｂの方向に切込み線２３ａ，２３ｂが刻設され、かつ前記前板４の両側縁上方に切込み線５ａ１，５ｂ１が刻設されており、商品の展示又は陳列時に、前記切込み線５ａ１，５ｂ１，２３ａ，２３ｂが切断されて前記前板４が前記折曲げ線２２に沿って折り曲げられ、前記蓋板１４が折り曲げられた前記前板４に折り重ねられて表示板２８が形成され、該表示板２８は前方へ突出されて固定されるように構成したことを特徴とする請求項１に記載の包装箱。
【請求項３】
前記蓋板１４と前記差込片１６との間に形成された折曲げ線１５ａの両端には切欠部１７Ａ，１７Ｂが設けられ、該切欠部１７Ａ，１７Ｂに前記前板４に形成された掛止部２７Ａ，２７Ｂが掛止されて、前記表示板２８が固定されるように構成したことを特徴とする請求項１又は請求項２に記載の包装箱。
【発明の詳細な説明】
【技術分野】
【０００１】
本発明は、店頭展示用又は陳列用として使用することができる包装箱に関し、さらに詳細には、個包装した複数の商品を集合させて収納し、包装する包装箱に関する。
【背景技術】
【０００２】
従来より、個包装された複数の商品を搬送用の収納外箱より取り出さずに、そのまま展示又は陳列できるように構成された種々の包装箱が提案され、実用化されている。
【０００３】
このような包装箱としては、包装箱の胴部全周に渡って開封用の切込み線を刻設し、又はカットテープを取り付けて、これらの切込み線又はカットテープにより箱の上半部を切り離し、その下半部はそのままトレーとして使用し、包装箱の内部に収納されている個包装された複数の商品の展示や陳列を行うものがある。
【０００４】
しかし、このような包装箱は、蓋板及び周壁に商品広告を印刷することによって宣伝効果を発揮するが、包装箱の展示又は陳列時には、蓋板、及び周壁の一部が切り離されることから、蓋板に印刷された商品広告は除去され、また周壁に印刷された商品広告は半分となり、特に消費者の目線よりも低い位置に陳列された場合等には、宣伝効果を十分に発揮できず、消費者の訴求力を低下させていた。
【０００５】
そこで、図１０に示すように前板１０１を折目線沿いに折り重ねて表示板１０２を形成し、差込片１０３を差込穴に差し込んで、表示板１０２を前方に突出させた状態で固定し、この表示板１０２の上半部に商品広告を印刷することにより、消費者の訴求力を向上させた包装箱１００が公知である（例えば、特許文献１参照。）。
【０００６】
しかしながら、このように前板１０１を折り重ねた表示板１０２の上面に商品広告が印刷されるように前板１０１をデザイン、印刷するには手間が掛かり、またこのような包装箱１００では、前板１０１の上半部だけしか表示板１０２として使用できなかった。従って、人目をひく大きな商品表示広告ができず、表示板１０２の宣伝効果を十分に発揮できなかった。また差込片１０３を差込穴に差し込んで表示板１０２を前方に突出させていたため、差込穴から差込片１０３が取れ易くなり、テープ等で固定する必要があった。しかし、テープ等を貼ると、包装箱の美粧性が欠けるという問題があった。
【特許文献１】特開２００１−３５４２３７号公報
【発明の開示】
【発明が解決しようとする課題】
【０００７】
本発明は上述したような実情に鑑みてなされたもので、その目的とするところは、消費者の訴求力を向上させる表示板を有し、見栄えが良く展示又は陳列ができ、蓋板を表示板として使用することによって、表示板の商品広告がデザインし易い包装箱を提供することにある。
【課題を解決するための手段】
【０００８】
本発明の上記目的は、少なくとも前板、両側板、後板、蓋板、底板とにより包装箱本体が構成され、前記両側板及び後板の幅方向に連続して形成された切取り部を切取ることにより前記包装箱本体を上半部と下半部とに分離可能とされた包装箱において、包装箱本体３の上半部２０を両側板６Ａ，６Ｂ及び後板８の上半部と、前記両側板６Ａ，６Ｂの上縁に折曲げ可能に連設した蓋受片１８Ａ，１８Ｂとで形成する一方、前記包装箱本体３の下半部２１を前板４と、該前板４の上縁に折曲げ可能に連設した蓋板１４と、該蓋板１４の先端に折曲げ可能に連設した差込片１６と、前記両側板６Ａ，６Ｂ及び前記後板８の下半部とで形成して成ることを特徴とする包装箱を提供することによって、達成される。
【０００９】
また、本発明の上記目的は、前記前板４の幅方向の長さよりも短い長さの折曲げ線２２が前記前板４の略中央部幅方向に形成され、前記折曲げ線２２の各端部から前記前板４の両側縁下方に形成された折曲げ線５ａ，５ｂの方向に切込み線２３ａ，２３ｂが刻設され、かつ前記前板４の両側縁上方に切込み線５ａ１，５ｂ１が刻設されており、商品の展示又は陳列時に、前記切込み線５ａ１，５ｂ１，２３ａ，２３ｂが切断されて前記前板４が前記折曲げ線２２に沿って折り曲げられ、前記蓋板１４が折り曲げられた前記前板４に折り重ねられて表示板２８が形成され、該表示板２８は前方へ突出されて固定されるように構成したことを特徴とする包装箱を提供することによって、効果的に達成される。
【００１０】
さらにまた、本発明の上記目的は、前記蓋板１４と前記差込片１６との間に形成された折曲げ線１５ａの両端には切欠部１７Ａ，１７Ｂが設けられ、該切欠部１７Ａ，１７Ｂに前記前板４に形成された掛止部２７Ａ，２７Ｂが掛止されて、前記表示板４が固定されるように構成したことを特徴とする包装箱を提供することによって、より効果的に達成される。
【発明の効果】
【００１１】
本発明に係る包装箱によれば、表示板が蓋板を前板に折り重ねて形成されるため、蓋板全体を表示板として使用できる。従って、表示板の商品表示広告のデザイン幅が広がり、また表示板が従来のものよりも大きいので、消費者の訴求力を一層向上させる印刷を施すことができる。さらに表示板の固定も、一層強固となるので、従来のようにテープ等で固定する必要がなく、展示又は陳列時の見栄えが良くなる。
【発明を実施するための最良の形態】
【００１２】
以下、本発明を実施するための最良の形態について図面を参照しながら説明する。
【００１３】
図１は、本発明に係る包装箱１の展開図である。図１に示すように本発明に係る包装箱１は、展開紙板２により包装箱本体３が形成される。この包装箱本体３は前板４と、前板４の両側縁下方に形成された折曲げ線５ａ，５ｂ、及び前板４の両側縁上方に刻設された切込み線５ａ１，５ｂ１を介して側板６Ａ，６Ｂとが夫々連設され、側板６Ａの外縁には、折曲げ線７ａを介して後板８が連設され、そして後板８の外縁には、折曲げ線９ａを介して継代片１０が連設されて構成されている。また、前板４の下縁には、折曲げ線５ｃを介して底受片１１Ａが、後板８の下縁には、折曲げ線９ｂを介して底受片１１Ｂが夫々連設され、側板６Ａ，６Ｂの下縁には、折曲げ線７ｂ，１２ａを介して底板１３Ａ，１３Ｂが夫々連設されている。また、前板４の上縁には、折曲げ線５ｄを介して蓋板１４が連設され、この蓋板１４の先端部には折曲げ線１５ａを介して差込片１６が連設されており、この折曲げ線１５ａの両端には切欠部１７Ａ，１７Ｂが設けられている。さらにまた、側板６Ａ，６Ｂの上縁には折曲げ線７ｃ、１２ｂを介して蓋受片１８Ａ，１８Ｂが夫々連設されている。
【００１４】
側板６Ａ，６Ｂ、及び後板８の幅方向には、切込み線１９ａ及び１９ｂが刻設されており、この切込み線１９ａ及び１９ｂによって切取り部１９が形成されている。この切取り部１９を一端側から引っ張って切取り、前板４の両側縁上部に刻設された切込み線５ａ１，５ｂ１に沿って切り離すことによって包装箱本体３は、上半部２０と下半部２１とに分離することができる。
【００１５】
また、前板４には、略中央部幅方向に前板４の幅方向の長さよりも短い長さの折曲げ線２２が形成されており、またこの折曲げ線２２の各端部から、前板４の両側縁下方に形成された折曲げ線５ａ，５ｂの方向で、切込み線１９ｂの延長線上に切込み線２３ａ，２３ｂが刻設されている。
【００１６】
次に、図２に示すように、包装箱本体３を、上述したように形成される展開紙板２により個包装された商品Ｓ（図２においては図示せず）を収納するために組立てるには、折曲げ線５ａ，５ｂ，７ａ，９ａを内面側へ、すなわち谷折り状に折曲げ、継代片１０を側板６Ｂの外縁部に貼着して、前板４と、側板６Ａ，６Ｂと、後板８とで周壁２４を形成し、底受片１１Ａと底板１３Ａ、及び底受片１１Ｂと底板１３Ｂを夫々貼着し、底受片１１Ａ及び１１Ｂの切欠部２５Ａ及び２５Ｂを噛み合わせて底壁２６を形成する。そして、個包装された商品Ｓを包装箱１内に収納し、蓋受片１８Ａ，１８Ｂを夫々内側へ折り曲げ、蓋板１４を閉じ、差込片１６を蓋受片１８Ａ，１８Ｂと後板８との間に差し込んで封緘する。
【００１７】
この包装箱１に収納された商品Ｓを店頭で展示又は陳列する際の動作を図３〜図８の包装箱１の斜視図を参照して説明する。なお、分かり易くするために図３及び図４においては個別に包装された商品Ｓを省略している。
【００１８】
先ず、図３及び図４に示すように、切込み線１９ａ，１９ｂによって形成された切取り部１９を引っ張って切取り、切込み線５ａ１，５ｂ１を切り離すことによって、図５に示すように包装箱本体３が上半部２０と下半部２１とに分離される。この上半部２０は側板６Ａ，６Ｂ及び後板８の上半部、すなわち切込み線１９ａより上の部分である側板６Ａ’，６Ｂ’及び後板８’と、蓋受片１８Ａ，１８Ｂとで構成されている。一方、下半部２１は前板４と、蓋板１４と、差込片１６と、底受片１１Ａ，１１Ｂと、底板１３Ａ，１３Ｂと、側板６Ａ，６Ｂ及び後板８の下半部、すなわち切込み線１９ｂより下の部分である側板６Ａ’’，６Ｂ’’及び後板８’’とで構成されている。
【００１９】
上述したように構成された上半部２０を取り外すことによって、包装箱１の内部に収納された商品Ｓが表れるので、この商品Ｓを包装箱本体３の下半部２１から取り出すことなく、この包装箱本体３の下半部２１ごと展示又は陳列することができる。
【００２０】
次に、図６に示すように、前板４を切込み線２３ａ，２３ｂに沿って切り離し、折曲げ線２２に沿って外側に、すなわち山折り状に折り曲げて掛止部２７Ａ，２７Ｂを形成する。その後、図７に示すように前板４を折曲げ線５ｄに沿って内側に、すなわち谷折り状に折曲げて前板４の上に蓋板１４を折り重ね、図８に示すように切欠部１７Ａ，１７Ｂを掛止部２７Ａ，２７Ｂに掛止させる。これにより、蓋板１４が上面になっている表示板２８を形成することができると共に、この表示板２８が前方に突出している状態で固定することができる。
【００２１】
図８に示すように、表示板２８は、前方に突出しているので、他の包装箱と並べて展示又は陳列した時、消費者の注意力を引き易い。また、包装箱に印刷される商品広告として、前板の上半部のみが表示板になるのではなく、蓋板１４全体を表示板２８として使用することができるので、商品広告のデザインが考え易くなると共に、より大きな表示板２８とすることができる。従って、消費者に訴える大きな文字、絵等による商品広告ができ、消費者の訴求力を一層向上させることができる。
【００２２】
さらに、切欠部１７Ａ，１７Ｂを掛止部２７Ａ，２７Ｂにそれぞれ引っ掛けて表示板２８を強固に固定するようにしたので、表示板２８がはずれ難くなる。従って、テープ等で固定する必要がなくなるので、展示又は陳列した時の見栄えが良くなるという効果も得られる。
【００２３】
以上、本発明に係る包装箱について詳述したが、本発明はこのような実施例に限らず、例えば図９に展開図で示すように、側板６Ａ，６Ｂに刻設される切込み線１９ａ，１９ｂを前下がりに刻設したり、前板４を切込み線２３ａ，２３ｂに沿って切り離すことによって形成される掛止部２７Ａ，２７Ｂの形状を変更する等、必要に応じてその設計を適宜変更しても良い。なお、図９中、図１と同一の構成要素には同一の符号を付してある。
【００２４】
また、切取り部１９は２本の切込み線１９ａ，１９ｂによって形成される場合のみならず、例えばカットテープ等により、包装箱本体３を上半部２０と下半部２１とに分離可能としても良い。
【産業上の利用可能性】
【００２５】
本発明は、上述したような紙板に限らず、必要に応じて、例えばプラスチックシート等にも適用できる。
【図面の簡単な説明】
【００２６】
【図１】本発明に係る包装箱の展開図である。
【図２】本発明に係る包装箱の組立体を示す斜視図である。
【図３】本発明に係る包装箱の展示又は陳列状態への変形過程を示す斜視図である。
【図４】本発明に係る包装箱の展示又は陳列状態への変形過程を示す斜視図である。
【図５】本発明に係る包装箱の展示又は陳列状態への変形過程を示す斜視図である。
【図６】本発明に係る包装箱の展示又は陳列状態への変形過程を示す斜視図である。
【図７】本発明に係る包装箱の展示又は陳列状態への変形過程を示す斜視図である。
【図８】本発明に係る包装箱の展示又は陳列状態を示す斜視図である。
【図９】本発明に係る包装箱の変更例の展開図である。
【図１０】従来技術に係る包装箱の展示又は陳列状態を示す斜視図である。
【符号の説明】
【００２７】
１                      包装箱
２                      展開紙板
３                      包装箱本体
４                      前板
５ａ，５ｂ，５ｃ，５ｄ  前板４に形成された折曲げ線
６Ａ，６Ｂ              側板
７ａ，７ｂ，７ｃ        側板６Ａに形成された折曲げ線
８                      後板
９ａ，９ｂ              後板８に形成された折曲げ線
１０                    継代片
１１Ａ，１１Ｂ          底受片
１２ａ，１２ｂ          側板６Ｂに形成された折曲げ線
１３Ａ，１３Ｂ          底板
１４                    蓋板
１５ａ                  蓋板１４に形成された折曲げ線
１６                    差込片
１７Ａ，１７Ｂ          切欠部
１８Ａ，１８Ｂ          蓋受片
１９ａ，１９ｂ          切込み線
２０                    上半部
２１                    下半部
２２                    折曲げ線
２３ａ，２３ｂ          切込み線
２４                    周壁
２５Ａ，２５Ｂ          底板１１Ａ，１１Ｂの切欠部
２６                    底壁
２７Ａ，２７Ｂ          掛止部
２８                    表示板
【図１】
2005053560.tif 000003
【図２】
2005053560.tif 000004
【図３】
2005053560.tif 000005
【図４】
2005053560.tif 000006
【図５】
2005053560.tif 000007
【図６】
2005053560.tif 000008
【図７】
2005053560.tif 000009
【図８】
2005053560.tif 000010
【図９】
2005053560.tif 000011
【図１０】
2005053560.tif 000012